(57)【要約】      （修正有）【課題】シール式のピン・グロメット型ファスナを提供すること。【解決手段】内側ハウジング３６は、Ｘ方向に延びた入口ランプ４２を有するピン保持受け部４０を有する。内側ハウジング３６は、Ｙ方向に摺動可能に外側ハウジング３８と結合する。外側ハウジング３８は、外側ハウジング壁により定められる閉鎖内部６２を有する。弾性保持ウィングは、外側ハウジング壁から外向きに延びて、耐水性を助長する。耐水シール３９は、外側ハウジングフランジ５４と第１の構成部品２８との間に位置決めし、外側ハウジング３８が保持ウィング６０によって第１の構成部品２８と結合されたときに、それらの間をシールする。センタリングブレードは、内側ハウジング３６と外側ハウジング３８との間に延びており、初期状態でピン保持受け部４０をＹ方向の中央位置に配置し、ピン２４をピン保持受け部４０内に挿入する間、可動である。【選択図】図１
2020038004.tif 000002
【特許請求の範囲】
【請求項１】
第１の構成部品と第２の構成部品とを互いに結合するために、前記第１の構成部品の孔に装着されるとともに第２の構成部品から延びるピンを受けるための、耐水性ピン・グロメット型ファスナであって、
ピン保持溝又は突起部を含むピンと、
グロメットと、を含み、前記グロメットは
Ｘ方向に細長いピン保持受け部を定めるとともに前記Ｘ方向に対して平行に延びる入口ランプを有する内側ハウジング壁と、前記ピン保持溝又は突起部を保持するように設計された協働ピン保持溝又は突起部と、内側ハウジング保持面を有する内側ハウジングフランジと、を有する内側ハウジングと、
外側ハウジングフランジから延びる閉鎖内部を定め、前記外側ハウジングフランジが協働内側ハウジング保持面を含む、外側ハウジング壁と、前記外側ハウジング壁を貫通する隣接する開口部を設けずに、前記外側ハウジング壁から外向きに延び、前記外側ハウジングが前記第１の構成部品の前記孔の中に装着されたときに前記外側ハウジングを前記第１の構成部品と結合するように設計された弾性保持ウィングと、を有する外側ハウジングと、
前記外側ハウジングフランジと前記第１の構成部品との間に位置決めすることができ、前記外側ハウジングが複数の前記弾性ウィングによって前記第１の構成部品と結合されたときに前記外側ハウジングと前記第１の構成部品との間の水の浸透に抵抗するように設計された耐水シールと、
前記内側ハウジングと前記外側ハウジングとの間の前記閉鎖内部内にあり、前記ピンを前記ピン保持受け部内に挿入する前に、前記内側ハウジングの前記ピン保持受け部を前記外側ハウジングの前記閉鎖内部内でＹ方向の中央位置に配置するように延びる、センタリングブレードとを含み、前記センタリングブレードは、前記Ｙ方向に可動であり、前記ピンを前記ピン保持受け部内に挿入する間に前記内側ハウジングが前記センタリングブレードを動かす結果として、前記内側ハウジングの前記ピン保持受け部を前記ハウジングに対して前記Ｙ方向に非中央位置へ移動させることを許容する、
ことを特徴とするピン・グロメット型ファスナ。
【請求項２】
前記外側ハウジングフランジは、前記外側ハウジングフランジ壁の全周を囲んで横方向に延びており、前記耐水シールは、前記外側ハウジングフランジに隣接して前記外側ハウジング壁の全周を囲んで延びることを特徴とする、請求項１に記載のピン・グロメット型ファスナ。
【請求項３】
前記内側ハウジングが前記センタリングブレードを含むことを特徴とする、請求項１に記載のピン・グロメット型ファスナ。
【請求項４】
前記内側ハウジングが前記センタリングブレードを含み、前記センタリングブレードは、前記内側ハウジング壁における第１の端部から自由端まで略横方向に延びることを特徴とする、請求項１に記載のピン・グロメット型ファスナ。
【請求項５】
前記内側ハウジングが前記センタリングブレードを含み、前記センタリングブレードは、前記内側ハウジング壁における第１の端部から第２の端部まで略軸方向に延びることを特徴とする、請求項１に記載のピン・グロメット型ファスナ。
【請求項６】
前記内側ハウジングが前記センタリングブレードを含み、前記センタリングブレードは、前記内側ハウジングフランジにおける第１の端部から第２の端部まで略軸方向に延びることを特徴とする、請求項１に記載のピン・グロメット型ファスナ。
【請求項７】
前記外側ハウジングが前記センタリングブレードを含み、前記センタリングブレードは、前記外側ハウジング壁における第１の端部から自由端まで略軸方向に延びることを特徴とする、請求項１に記載のピン・グロメット型ファスナ。
【請求項８】
前記内側ハウジングが前記センタリングブレードを含み、前記センタリングブレードの前記第１の端部及び前記第２の端部は、前記内側ハウジング壁に結合されることを特徴とする、請求項１に記載のピン・グロメット型ファスナ。
【請求項９】
前記内側ハウジングが前記センタリングブレードを含み、前記センタリングブレードの前記第１の端部及び前記第２の端部は、それぞれ前記内側ハウジングフランジ及び前記内側ハウジング壁に結合されることを特徴とする、請求項１に記載のピン・グロメット型ファスナ。
【請求項１０】
前記センタリングブレードは、前記中央位置に対応する初期位置と、前記非中央位置に対応する第２の位置との間で可撓性であることを特徴とする、請求項１に記載のピン・グロメット型ファスナ。
【請求項１１】
前記センタリングブレードは、前記中央位置に対応する初期位置と、前記非中央位置に対応する第２位置との間で脆弱性であることを特徴とする、請求項１に記載のピン・グロメット型ファスナ。
【請求項１２】
外側一体型構成部品が前記外側ハウジングを含み、内側一体型構成部品が前記内側ハウジングを含むことを特徴とする、請求項１に記載のピン・グロメット型ファスナ。
【請求項１３】
前記内側ハウジング保持面は、前記内側ハウジングフランジの縁の周縁部分によって設けられ、前記協働内側ハウジング保持面は、前記外側ハウジングフランジから延びる非可撓性ポストによって設けられ、前記非可撓性ポストから突起部が延びており、前記突起部は、これら２つの半構成部品を互いに回転させるときに前記周縁部分を捕捉するように位置決めされることを特徴とする、請求項１に記載のピン・グロメット型ファスナ。
【請求項１４】
前記外側ハウジングフランジは、前記内側ハウジングフランジの協働ロック面と係合するように位置付けられたロック面を含むロックデテントを含み、前記内側ハウジングと前記外側ハウジングとの間の逆回転を防止する一方で、それらの間の前記Ｙ方向の摺動運動を可能にすることを特徴とする、請求項１３に記載のピン・グロメット型ファスナ。
【請求項１５】
前記ロックデテントは、前記内側ハウジングと前記外側ハウジングとが互いに軸回転するときに前記ロックデテントの前記ロック面を通り越す前記内側ハウジングの前記協働ロック面の回転運動を容易にする、傾斜面を含むことを特徴とする、請求項１４に記載のピン・グロメット型ファスナ。
【請求項１６】
前記内側ハウジングフランジは上面を有し、前記突起部及び前記非可撓性ポストは、前記内側ハウジングが前記外側ハウジングと結合されたときに、完全に前記上面の下方に位置決めされることを特徴とする、請求項１３に記載のピン・グロメット型ファスナ。
【発明の詳細な説明】
【技術分野】
【０００１】
本開示は、ピン・グロメット型ファスナに関する。
【背景技術】
【０００２】
本項は、本開示に関する背景情報を提供するが、これは必ずしも従来技術ではない。
【０００３】
ピン・グロメット型ファスナが、当該技術分野において知られている。このようなピン・グロメット型ファスナは、一般に、ピンをＸ方向及びＹ方向の両方向でグロメットのピン受け孔の中央に位置合わせすることを必要とする。換言すれば、ピン受け孔からオフセットしたピンをピン受け孔の中に挿入することができるようにするには、その前にピンを物理的に再位置決めして、グロメットのピン受け孔の中央に位置合わせしなければならない。ピンのオフセットを一方向（例えば、Ｘ方向）で許容するピン・グロメット型ファスナはいくつか存在するが、挿入を達成するには、それでもなお、ピンが他方向（例えば、Ｙ方向）でピン受け孔の中央に位置合わせされるように、ピンをグロメットに対して再位置決めしなければならない。
【０００４】
このようなピン・グロメット型ファスナは、例えば、複数のピンが第１の構成部品に互いに固定された位置で取り付けられており、別の構成部品に固定された対応する複数のグロメットのピン受け孔に挿入されることが必要とされる場合には、全く満足できるものではない。別の例として、このようなピン・グロメット型ファスナは、ピンをグロメット内に挿入する際にピンをグロメット内にブラインド位置決めすること及び挿入することを伴う場合にも全く満足できるものではない。これら両方の場合におけるピンの挿入の容易さは、グロメットのピン保持孔に挿入する際に、Ｘ及びＹ両方向でのピンの相当量のオフセットに対応することが可能な、ピン・グロメット型ファスナによって促進されるであろう。
【０００５】
さらに、このような二次元オフセットを可能にするピン・グロメット型ファスナは、一般に、水、泥、又は他の汚染物質がそこを通って、そうしたグロメットが装着されている構成部品の孔を容易に通過できるような、複数の経路を含むことになる。１つの侵入経路は、グロメットとパネルとの間であり得る。別の侵入経路は、このような二次元オフセットを可能にするのに必要とされるグロメット自体の複数の構成部品同士の間であり得る。他の侵入経路は、Ｘ方向のオフセットを可能にするグロメット構成部品を通る経路、又はＹ方向のオフセットを可能にするグロメット構成部品を通る経路、又は両方を通る経路であり得る。このような二次元オフセット式のグロメットの構成部品は、通常、一般に成形目的で構成部品を貫通する隣接した開口部を必要とする、多数の延長要素を含み、そのことが、グロメットを通る全ての可能な侵入経路のシールを困難にする。
【先行技術文献】
【特許文献】
【０００６】
【特許文献１】米国特許出願公開第２０１８／０１２８２９７号明細書
【発明の概要】
【発明が解決しようとする課題】
【０００７】
本発明の目的は、シール性ピン・グロメット型ファスナを提供することである。
【課題を解決するための手段】
【０００８】
本項は、本開示の全体的な概要を提供するものであり、その全範囲又はその特徴の全てを包括的に開示するものではない。
【０００９】
本開示の一態様によれば、第１の構成部品と第２の構成部品とを互いに結合するために第１の構成部品の孔に装着されるとともに、第２の構成部品から延びるピンを受けるための、耐水性ピン・グロメット型ファスナが提供される。ピンは、ピン保持溝又は突起部を含むことができる。グロメットは、Ｘ方向に細長いピン保持受け部を定めるとともにＸ方向に対して平行に延びる入口ランプを有する内側ハウジング壁と、内側ハウジング保持面を有することができる内側ハウジングフランジと、を有する内側ハウジングを含むことができる。さらに、ピン保持溝又は突起部を保持するように、協働ピン保持溝又は突起部を設計することができる。グロメットは、外側ハウジングフランジから延びる閉鎖内部を定める外側ハウジング壁を有する、外側ハウジングを含むことができる。外側ハウジングフランジは、協働内側ハウジング保持面を含むことができる。弾性保持ウィングは、外側ハウジング壁を貫通する隣接する開口部を設けずに、外側ハウジング壁から外向きに延びることができ、外側ハウジングが第１の構成部品の孔の中に装着されたときに外側ハウジングを第１の構成部品と結合するように設計することができる。耐水シールは、外側ハウジングフランジと第１の構成部品との間に位置付けることができ、外側ハウジングが複数の弾性ウィングによって第１の構成部品と結合されたときに外側ハウジングと第１の構成部品との間の水の浸透に抵抗するように設計される。センタリングブレードは、内側ハウジングと外側ハウジングとの間の閉鎖内部内に設けることができ、ピンをピン保持受け部内に挿入する前に、内側ハウジングのピン保持受け部を外側ハウジングの閉鎖内部内でＹ方向の中央位置に配置するように、延びることができる。センタリングブレードは、Ｙ方向に可動とすることができ、ピンをピン保持受け部内に挿入する間に内側ハウジングがセンタリングブレードを動かす結果として、内側ハウジングのピン保持受け部を、ハウジングに対してＹ方向に非中央位置へ移動させることを許容する。
【００１０】
さらなる適用可能な分野は、本明細書において与えられる説明から明らかになるであろう。本概要における説明及び特定の例は、例示目的であることのみを意図し、本開示の範囲を限定することを意図するものではない。
【００１１】
本明細書において記載される図面は、全ての可能な実施例を示すものではなく、選択された実施形態の例証目的のためのものにすぎず、本開示の範囲を限定することを意図するものでもない。
【図面の簡単な説明】
【００１２】
【図１】本開示による、ピン・グロメット型ファスナの第１の例示的な実施形態を含む分解斜視図である。
【図２】図１の第１の例示的なピン・グロメット型ファスナの側面図である。
【図３】図２の線３−３に沿った断面図である。
【図４】図１の第１の例示的なピン・グロメット型ファスナの別の側面図であり、第１の構成部品の断面を含む。
【図５】図４の線５−５に沿った断面図である。
【図６】図１の第１の例示的なピン・グロメット型ファスナの平面図である。
【図７】図１の第１の例示的なピン・グロメット型ファスナの斜視図である。
【図８】図１の第１の例示的なピン・グロメット型ファスナの別の斜視図である。
【図９】本開示による、ピン・グロメット型ファスナの第２の例示的な実施形態を含む分解斜視図である。
【図１０】図９の第２の例示的なピン・グロメット型ファスナの側面図である。
【図１１】図１０の線１１−１１に沿った断面図である。
【図１２】図９の第２の例示的なピン・グロメット型ファスナの別の側面図であり、第１の構成部品の断面を含む。
【図１３】図１２の線１３−１３に沿った断面図である。
【図１４】本開示による、ピン・グロメット型ファスナの第３の例示的な実施形態を含む分解斜視図である。
【図１５】図１４の第３の例示的なピン・グロメット型ファスナの側面図である。
【図１６】図１５の線１６−１６に沿った断面図である。
【図１７】図１４の第３の例示的なピン・グロメット型ファスナの別の側面図であり、第１の構成部品の断面を含む。
【図１８】図１７の線１８−１８の線に沿った断面図である。
【図１９】本開示による、ピン・グロメット型ファスナの第４の例示的な実施形態を含む分解斜視図である。
【図２０】図１９の第４の例示的なピン・グロメット型ファスナの側面図である。
【図２１】図２０の線２１−２１に沿った断面図である。
【図２２】図１９の第４の例示的なピン・グロメット型ファスナの別の側面図であり、第１の構成部品の断面を含む。
【図２３】図２２の線２３−２３に沿った断面図である。
【図２４】本開示による、ピン・グロメット型ファスナの第５の例示的な実施形態を含む分解斜視図である。
【図２５】図２４の第５の例示的なピン・グロメット型ファスナの側面図である。
【図２６】図２５の線２６−２６に沿った断面図である。
【図２７】図２４の第５の例示的なピン・グロメット型ファスナの別の側面図であり、第１の構成部品の断面を含む。
【図２８】図２７の線２８−２８に沿った断面図である。
【図２９】例示的な実施形態のいずれにおいても有用な、内側ハウジングと外側ハウジングとの間の代替的なインターロック構造を示す分解斜視図である。
【図３０】図２９の内側ハウジング及び外側ハウジングが中間結合位置にある斜視図である。
【図３１】図２９の内側ハウジング及び外側ハウジングが結合位置にある斜視図である。
【発明を実施するための形態】
【００１３】
図面のいくつかの図を通じて、対応する参照符号は対応する部品を示す。
【００１４】
ここで添付図面を参照して、例示的な実施形態をさらに十分に説明する。
【００１５】
図１〜図８は、本開示によるピン・グロメット型ファスナ２０の１つの例示的な実施形態を示す。グロメット２２は、第１の構成部品２８の孔２６に装着可能であり、第２の構成部品３０から延びるピン２４を受け入れて、第１の構成部品２８と第２の構成部品３０とを互いに結合する。第１の構成部品２８は、いくつかのグロメット２２がその孔２６に結合装着された自動車の車体パネルとすることができ、第２の構成部品３０は、対応する数のピンがそこから延びているヘッドライト組立体とすることができる。ピン２４は、保持溝３２を含むことができる。付加的に又は代替的に、ピン２４は、保持突起部３４を含むことができる。
【００１６】
グロメット２２は、内側ハウジング３６と、外側ハウジング３８と、耐水シール３９とを含む。内側ハウジング３６は、Ｘ方向に細長いピン保持受け部４０を定める内側ハウジング壁８４を有する。ピン保持受け部４０は、Ｘ方向に対して平行に延びる入口ランプ４２を含むことができる。協働ピン保持突起部４６が、ピン保持溝３２と係合してピン２４をピン保持受け部４０内に保持するように配置される。付加的に又は代替的に、協働ピン保持溝を、ピン保持突起部３４と係合してピン２４をピン保持受け部４０内に保持するように配置することができる。
【００１７】
内側ハウジング３６は、内側ハウジング壁８４の上端から横方向に延びることができる内側ハウジングフランジ４８を含むことができる。内側ハウジングフランジ４８は、内側ハウジング保持面５０を有することができる。本実施形態の２つの内側ハウジング保持面５０は、内側ハウジングフランジ４８の縁のそれぞれの上方周縁部分５２によって設けられる。外側ハウジング３８は、協働内側ハウジング保持面５６を有する外側ハウジングフランジ５４を有することができる。本実施形態の２つの協働内側ハウジング保持面５６は、外側ハウジングフランジ５４から延びるポスト５８から延びる突起部５７によって設けられる。
【００１８】
外側ハウジング３８は、外側ハウジングが第１の構成部品２８の孔２６の中に装着されたときに外側ハウジング３８を第１の構成部品２８に対して保持するように位置決めされた、複数の弾性構成部品の保持ウィング６０を有することができる。外側ハウジングフランジ５４は、外側ハウジング壁８２の全周を囲んで横方向に延びることができ、耐水シール３９は、外側ハウジングフランジ５４に隣接して外側ハウジング壁８２の全周を囲んで延びることができる。保持ウィング６０は、外側ハウジング３８が第１の構成部品２８の孔２６の中に装着されたときに、耐水シール３９が外側ハウジングフランジ５４と第１の構成部品２８との間をシールすることを可能にするように、位置決めされる。さらに、保持ウィング６０は、外側ハウジング壁８２を貫通する関連した隣接する開口部を要することなく、外側ハウジング壁８２から延びるように形成される。
【００１９】
外側ハウジング３８は、外側ハウジング側壁８２と、端壁８６とを有し、これらが一緒に、外側ハウジングフランジ５４から延びる閉鎖された又はシールされた内部６２を定める。したがって、外側ハウジングフランジ５４から延びる外側ハウジング壁８２は、バケット形状を定めることができる。耐水シール３９は、水又は他の汚染物質が、外側ハウジングフランジ５４と第１の構成部品２８の外面との間を伝わって進むことによって第１の構成部品２８の孔２６を通って移動することがないように保証する助けとなる。外側ハウジング壁８２により定められる閉鎖内部６２は、水又は他の汚染物質が、内側ハウジング３６と外側ハウジング３８との間、又は、内側ハウジング３６の開口部を通って進むことによって第１の構成部品２８の孔２６を通って移動することがないように保証する助けとなる。外側ハウジング３８の閉鎖内部６２が水又は汚染物質のさらなる移動を防止するので、水又は汚染物質が第１の構成部品２８の孔２６を通って移動することは不可能である。
【００２０】
同様に、内側ハウジング３６は、内側ハウジングフランジ４８から延びる閉鎖された又はシールされた内部７８を一緒に定める、内側ハウジング側壁８４を有することができる。したがって、内側ハウジングフランジ４８から延びる内側ハウジング壁８４は、バケット形状を定めることができる。内側ハウジング壁８４により定められる閉鎖内部７８は、水又は他の汚染物質が、内側ハウジング３６の開口部を通って進んで外側ハウジング３８の中に入ることによって第１の構成部品２８の孔２６を通って移動することがないように保証する助けとなる。代わりに、内側ハウジング３６の閉鎖内部７８の中に移動した水は、その中に保持されるか、又は、逆方向に向きを変えて内側ハウジング３６の開口部９０の外に出る。したがって、水又は他の汚染物質が、内側ハウジング３６の内部７８を通る通路を経て第１の構成部品２８の孔２６を通って移動することは不可能である。
【００２１】
複数のセンタリングブレード６４が、外側ハウジング３８と内側ハウジング３６との間の閉鎖内部６２内に設けられる。センタリングブレード６４は、ピン２４をピン保持受け部４０内に挿入する前に、ピン保持受け部４０を外側ハウジング３８の閉鎖内部６２内のＹ方向の中央位置（図５）に配置するように位置決めされて延びている。センタリングブレード６４は、ピン２４をピン保持受け部４０内に挿入する間に内側ハウジング３６がセンタリングブレード６４の撓み及び運動を生じさせる結果として、ピン保持受け部４０を外側ハウジング３８に対してＹ方向（正又は負）に非中央位置へ移動させることを許容することができるように、Ｙ方向に動くのに十分に可撓性とすることができる。
【００２２】
ピン２４は、ピン保持受け部４０からＹ方向にオフセットしているとき、傾斜した入口ランプ４２の１つに対して係合する。オフセットしたピン２４を挿入し続けると、係合した入口ランプ４２を介して内側ハウジング３６に力が伝達される。このことにより、内側ハウジング３６が、係合した入口ランプ４２に隣接する、又は同じ側のセンタリングブレード６４と係合してこれを動かす。このようにして、オフセットしたピン２４の挿入により、ピン保持受け部４０が、Ｙ方向（正又は負）に非中央位置に移動する。
【００２３】
内側ハウジング保持面５０は、内側ハウジングフランジ４８の縁の周縁部分５２によって設けることができる。各々の協働内側ハウジング保持面５６は、ポスト５８から延びる突起部５７によって設けることができる。ポスト５８及び突起部５７は、スロット又はチャネルを設けることができ、これらは互いに向かって開放され又は対向し、Ｙ方向に長手方向に延びる。ポスト５８及びと突起部５７とが、内側ハウジング保持面５６に隣接する位置に、これと協働する内側ハウジング保持面５０を形成すると、内側ハウジング３６と外側ハウジング３８とが互いに摺動可能に結合され、それらの間でのＹ方向の相対運動を可能にする。この運動中、内側ハウジングフランジ４８及び外側ハウジングフランジ５４は、互いに摺動可能である。
【００２４】
センタリングブレード６４は、内側ハウジング３６と外側ハウジング３８との間の閉鎖内部６２内に延びることができ、初期状態で、内側ハウジングのピン保持受け部４０を、外側ハウジング３８の閉鎖内部６２に対して中央のＹ方向位置に位置決めすることができる。初期状態でピン保持受け部４０をこの中央のＹ方向位置に保持することは、ピン保持受け部４０の外側開口部９０がＹ方向のどこに位置するかに関して初期状態の確実性を提供する。このことにより、グロメット２２の全体としてのパッケージサイズの削減が可能になり、グロメット２２内へのピン２４の挿入が容易になる。例えば、もし内側ハウジング３６が初期状態で外側ハウジング３８に対して自由に浮動し又は摺動することが許容されているならば、内側ハウジング３６は、初期状態で外側ハウジング３８の右端の側壁８２に当接して位置決めされるかもしれない。そのため、ピン保持受け部４０の外側開口部９０の左端に挿入されたピン２４を確実に捕捉するためには、この外側開口部９０をＹ方向にもっと大きくする必要があることになる。許容できる入口ランプ４２の角度は限られているので、これは、入口ランプ４２をより長くする必要があることを意味し、その結果、ピン保持受け部４０の軸方向の全長が増大し、したがってグロメット２２及びピン２４の軸方向の全長が増大することになる。
【００２５】
対照的に、センタリングブレード６４がピン保持受け部４０を外側ハウジング３８に対して中央のＹ方向位置に位置決めする場合、ピン保持受け部４０の外側開口部９０をより小さいサイズにすることが可能である。例えば、複数のピン・グロメット型ファスナ２０を用いて第１の構成部品２８と第２の構成部品３０とを互いに接合する場合、許容差は、通常、理想的な位置又は場所からプラス及びマイナスの寸法を含む。中央位置にある場合、外側開口部９０は、プラス／マイナス寸法に対応するのに十分な大きさがあればよい。同様に、ピン２４とグロメット２２とを互いにブラインド結合する場合、このピン保持受け部４０の繰り返し可能な相対的中央位置決めは、外側開口部９０の既知の位置を与え、ユーザ又は機械は、ピン２４をグロメット２２内に挿入するときにこの位置に頼ることができる。もちろん、外側開口部９０は常に中央のＸ方向位置に維持されており、細長いピン保持受け部４０がＸ方向における許容差又は位置的オフセットに対応する。
【００２６】
各センタリングブレード６４は、第１の端部６６と第２の端部６８とを有することができる。図１〜図８の例示的な実施形態の場合のように、内側ハウジング３６がセンタリングブレード６４を含むことができ、第１の端部６６は内側ハウジング壁８４に結合することができ、第２の端部６８は自由端とすることができる。さらに、センタリングブレード６４は、外側ハウジング３８の閉鎖内部６２内で、第１の端部６６から第２の端部６８まで略横方向に延びるものとすることができる。
【００２７】
図９〜図１３の例示的なグロメット２２の場合のように、外側ハウジング３８がセンタリングブレード６４を含むことができ、第１の端部６６は外側ハウジングの端壁８６に結合することができ、第２の端部６８は自由端とすることができる。さらに、センタリングブレード６４は、外側ハウジング３８の閉鎖内部６２内で、第１の端部６６から第２の端部６８まで略軸方向に延びるものとすることができる。
【００２８】
図１４〜図１８の例示的なグロメット２２の場合のように、内側ハウジング３６がセンタリングブレード６４を含むことができ、第１の端部６６は内側ハウジング３６のフランジ４８に結合することができ、第２の端部６８は自由端とすることができる。さらに、センタリングブレード６４は、外側ハウジング３８の閉鎖内部６２内で、第１の端部６６から第２の端部６８まで略軸方向に延びるものとすることができる。
【００２９】
図１９〜図２３の例示的なグロメット２２の場合のように、内側ハウジング３６がセンタリングブレード６４を含むことができ、第１の端部６６及び第２の端部の両方が内側ハウジング３６の側壁８４に結合することができる。さらに、センタリングブレード６４は、外側ハウジング３８の閉鎖内部６２内で、第１の端部６６から第２の端部６８まで略軸方向に延びるものとすることができる。
【００３０】
図２４〜図２８の例示的なグロメット２２の場合のように、内側ハウジング３６がセンタリングブレード６４を含むことができ、第１の端部６６は内側ハウジング３６の側壁８４に結合することができ、第２の端部６８は自由端とすることができる。さらに、センタリングブレード６４は、外側ハウジング３８の閉鎖内部６２内で、第１の端部６６から第２の端部６８まで略軸方向に延びるものとすることができる。
【００３１】
上記の例示的なグロメット２２の各々において、センタリングブレード６４は、弾性とすることができる。例えば、センタリングブレード６４は、内側ハウジング３６が非中央位置に動かされた後であっても、その内側ハウジングを中央位置に向かって付勢することができる。付加的に又は代替的に、センタリングブレード６４は、薄いもの、折り畳み可能なもの、又はそれ以外に潰れることができるものとすることができる。例えば、センタリングブレード６４は、内側ハウジング３６、外側ハウジング３８、又は両方に対して潰れることができるものとすることができ、中央位置と非中央位置との間の距離を増大させる。付加的に又は代替的に、センタリングブレード６４は脆弱性のものとすることができる。例えば、センタリングブレード６４は、内側ハウジング３６が中央位置から非中央位置へ移動するにつれて、最終的には、完全に又は部分的に壊れることができる。脆弱性のセンタリングブレード６４は、壊れることを可能にする脆性材料で作ることができる。付加的に又は代替的に、脆弱性のセンタリングブレード６４は、曲がること又は壊れることを可能にする弱い領域を有することができる。
【００３２】
上記の例示的なグロメット２２の各々において、外側ハウジング３８の突起部５７を含むポスト５８を弾性又は可撓性にして、外側ハウジング３８の突起部５７と内側ハウジング３６の周縁部分５２との間のスナップ嵌め結合を可能にすることができる。外側ハウジング３８の突起部５７、又は内側ハウジング３６の周縁部分５２、又はそれら両方が、このようなスナップ嵌め結合を容易にする傾斜面を含むことができる。
【００３３】
代替的に、上記の例示的なグロメット２２の各々において、ポスト５８を非可撓性にすることができ、外側ハウジング３８の突起部５７と内側ハウジング３６の周縁部分５２との間の回転結合を可能にすることができる。例えば、図２９〜図３１に示されるように、内側ハウジング３６を、６つの辺を有し、対向する対角辺が突起部間の距離と同じ又はそれより短い距離で互いに離間したものとすることができる。したがって、内側ハウジング３６を、外側ハウジング３８に対して中間結合方位（図２９及び図３０）まで回転させることができ、このとき中間結合位置（図３０）において内側ハウジングの周縁部分５２を外側ハウジング３８の突起部の下に位置決めすることができる。
【００３４】
内側ハウジング３６を、この中間結合方位及び位置（図３０）から外側ハウジング３８に対して回転させて、完全結合方位及び位置（図３１）にすることができる。結合位置において、突起部５７の内側ハウジング保持面５６は、周縁部分５２の協働内側ハウジング保持面５０と係合して、内側ハウジングフランジ４８を外側ハウジングフランジ５４に対して保持する一方で、それら間でのＹ方向の摺動運動を可能にする。
【００３５】
内側ハウジング３６を外側ハウジング３８に対して結合方位及び位置に維持するために、ロックデテント７０を設けることができる。例えば、外側ハウジング３８の一対のロックデテント７０は、各々、傾斜面７２と、Ｙ方向に延びる内側ハウジング３６のフランジ４８の協働ロック面７６と係合する、ロック面７４とを含むことができる。各ロックデテント７０の傾斜面７２は、内側ハウジング３６の協働ロック面７６がロックデテント７０を通り越す回転運動を容易にし、ここでロック面７４と協働ロック面７６とが互いに係合して、内側ハウジング３６と外側ハウジング３８との間の逆回転を防止することができる一方で、それらの間でのＹ方向の摺動運動を可能にする。
【００３６】
図２９〜図３０の特徴は、ここでは図１〜図８の内側及び外側ハウジング構成部品を用いて例証されており、したがって、図２９〜図３０の結合特徴を備えたこれらの構成部品が図１〜図８に含まれる実施形態を示す。しかしながら、同様に、図２９〜図３０の特徴は、図２９〜図３０の結合特徴が図９〜図２８の他の実施形態の各々に含まれる実施形態も例証する。
【００３７】
その他の非可撓性ポスト結合構造及びプロセスが可能である。例えば、引用により全体がここに組み入れられる同一出願人による２０１８年５月１０日発行の特許文献１に詳述されるように、外側ハウジング３８は、２つの半構成部品で形成することができ、これらを内側ハウジング３６の周りで互いに結合して、内側ハウジングの周縁部分５２を外側ハウジング３８のポスト５８及び突起部５７で捕捉することができる。
【００３８】
関連した方法は、上記議論から明らかであろう。例えば、ピン・グロメット型ファスナ２０を製造する方法は、上記開示の特徴又は要素のいずれかを有するピン２４及びグロメット２２を成形し、それらを、ピンをグロメットの中に挿入することを含めて、上述のように互いに組み立てることを含むことができる。第１の構成部品２８と第２の構成部品３０とを使用する又は互いに組み立てる方法は、グロメット２２を第１の構成部品２８の孔２６の中に挿入すること、及び、第２の構成部品３０に結合されたピン２４をピン保持受け部４０内に挿入することのいずれをも含むことができる。全ての関連した方法は、上述のように、Ｘ方向及びＹ方向にオフセットされたピンをピン保持受け部４０の中に挿入して、内側ハウジング３６を外側ハウジング３８に対してＹ方向に動かすことを含むことができる。
【００３９】
特定の構成部品、装置及び方法の例といった、多くの具体的な詳細が述べられている。特定の詳細は必ずしも用いる必要がないこと、例示的な実施形態は多くの異なる形態で具体化できること、及びいずれも本開示の範囲を限定するように解釈すべきではないことが、当業者には明らかであろう。いくつかの例示的な実施形態において、周知のプロセス、周知の装置構造、及び周知の技術は、詳細には説明されていない。
【００４０】
本明細書に用いられる用語は、特定の例示的な実施形態だけを説明するためのものであり、限定することを意図するものではない。本明細書において用いられる「第１」、「第２」及び他の数値用語などの用語は、文脈によって明白に示されない限り、順番又は相対的な重要度を意味するものではない。本明細書における「Ｘ方向」及び「Ｙ方向」についての言及は、グロメットのフランジと位置合わせされた平面内の二次元座標系に関する。本明細書で用いられる「略軸方向」は、内部内で、概ねハウジングの上部分から底部分の間に延びること（例えば、外側ハウジングフランジにより定められる平面に対して略直角）を意味し、「略横方向」は、内部内で、概ね２つの側部部分の間に延びること（例えば、外側ハウジングフランジにより定められる平面に対して略平行）を意味する。ポストに関連して本明細書で用いられる「非可撓性」は、内側ハウジングと外側ハウジングとを互いに結合する際にポストが撓むことが必要とされないことを意味する。
【００４１】
上記の実施形態の説明は、例証及び説明のために提供したものである。これは、網羅的であること又は本開示を限定することを意図するものではない。特定の実施形態の個々の要素又は特徴は、一般に、その特定の実施形態に限定されるものではなく、具体的に示され又は説明されていない場合であっても、適用可能な場合には、互換的であり、選択された実施形態において用いることができる。これらはまた、様々に変更することができる。そのような変形は、本開示からの逸脱とみなすべきではなく、そのような全ての改変は、本開示の範囲内に含まれることが意図される。
【符号の説明】
【００４２】
２０：ピン・グロメット型ファスナ
２２：グロメット
２４：ピン
２６：孔
２８：第１の構成部品
３０：第２の構成部品
３２：保持溝
３４：保持突起部
３６：内側ハウジング
３８：外側ハウジング
３９：耐水シール
４０：ピン保持受け部
４２：入口ランプ
４６：協働ピン保持突起部
４８：内側ハウジングフランジ
５０：内側ハウジング保持面
５２：内側ハウジングフランジの周縁部分
５４：外側ハウジングフランジ
５６：協働内側ハウジング保持面
５７：突起部
５８：ポスト
６０：保持ウィング
６２：外側ハウジングの閉鎖内部
６４：センタリングブレード
６６：第１の端部
６８：第２の端部
７０：ロックデテント
７２：傾斜面
７４：ロック面
７６：協働ロック面
７８：内側ハウジングの閉鎖内部
８２：外側ハウジング壁
８４：内側ハウジング壁
８６：端壁
９０：開口部
【図１】
2020038004.tif 000003
【図２】
2020038004.tif 000004
【図３】
2020038004.tif 000005
【図４】
2020038004.tif 000006
【図５】
2020038004.tif 000007
【図６】
2020038004.tif 000008
【図７】
2020038004.tif 000009
【図８】
2020038004.tif 000010
【図９】
2020038004.tif 000011
【図１０】
2020038004.tif 000012
【図１１】
2020038004.tif 000013
【図１２】
2020038004.tif 000014
【図１３】
2020038004.tif 000015
【図１４】
2020038004.tif 000016
【図１５】
2020038004.tif 000017
【図１６】
2020038004.tif 000018
【図１７】
2020038004.tif 000019
【図１８】
2020038004.tif 000020
【図１９】
2020038004.tif 000021
【図２０】
2020038004.tif 000022
【図２１】
2020038004.tif 000023
【図２２】
2020038004.tif 000024
【図２３】
2020038004.tif 000025
【図２４】
2020038004.tif 000026
【図２５】
2020038004.tif 000027
【図２６】
2020038004.tif 000028
【図２７】
2020038004.tif 000029
【図２８】
2020038004.tif 000030
【図２９】
2020038004.tif 000031
【図３０】
2020038004.tif 000032
【図３１】
2020038004.tif 000033